(57)【要約】【課題】  必要に応じて転倒防止の突起を形成することができると共に、装置撤去時にも確実に回収することができるようにする。【解決手段】  画像形成装置１０の下部を覆い製品の転倒を防止する外装カバー部材５０を配置し、この外装カバー部材５０には転倒防止突起部５１を突設し、ボルト６０で画像形成装置１０に、前記転倒防止突起部５１が装置の外側に張り出した状態と、転倒防止突起部５１を装置本体の内側に向け配置した状態とのいずれかの状態で取付可能とした【選択図】        図１
2006214450.tif 000002
【特許請求の範囲】
【請求項１】
装置の下部を覆い製品の転倒を防止する転倒防止部を備えた外装カバー部材において、
前記外装カバー部材を構成する一面、及び、この一面と表裏関係をなす他面のうち一方の面にだけ転倒防止突起部を配置したことを特徴とする装置の外装カバー部材。
【請求項２】
前記外装カバー部材は前記装置に固定する固定手段を備えたことを特徴とする請求項１の装置の外装カバー部材。
【請求項３】
前記外装カバー部材は、装置本体に対して、前記転倒防止突起部が装置の外側に張り出した状態と、転倒防止突起部を装置本体の内側に向け配置した状態とのいずれかの状態で取付可能としたことを特徴とする請求項１または２の装置の外装カバー部材
【請求項４】
前記外装カバー部材の表裏両面は、いずれの面を装置の表面としたとき前記装置本体の外観を構成する外観性を付与されたことを特徴とする請求項１ないし３のいずれかの装置の外装カバー部材。
【請求項５】
前記外装カバー部材は、ブロー成型を含む樹脂成形で形成されたことを特徴とする請求項１ないし４のいずれかの装置の外装カバー部材
【請求項６】
請求項１ないし５のいずれかの外装カバー部材を備えた装置。
【請求項７】
請求項１ないし５のいずれかの外装カバー部材を備えた画像形成装置。
【発明の詳細な説明】
【技術分野】
【０００１】
本発明は、転倒防止外装カバー、それを備えた装置及び画像形成装置に関する。
【背景技術】
【０００２】
画像形成装置などの装置の移動や転倒を防止するため転倒防止部材を配置することがある。このような転倒防止部材は画像形成装置本体とは別部材として構成され、画像形成装置の設置後、画像形成装置の下部に配置される。
【０００３】
図１は従来の転倒防止部材を示す斜視図である。本例では画像形成装置１０の前後に手前転倒防止部材３０及び奥側転倒防止部材４０を配置する。この転倒防止部材３０，４０は、前記画像形成装置１０のキャスタ２０に引っ掛けて配置するものであり、合成樹脂で形成された部材である。
【０００４】
この転倒防止部材３０，４０を配置するときには、画像形成装置１０の前後に片方ずつ順にキャスタ２０に引っ掛けスライドさせて配置する。なお、転倒防止部材２０、３０は画像形成装置１０の各カバー開閉操作時を含めたときの製品の重心の移動を考慮して、画像形成装置１０の前後または左右に配置する場合がある。
【０００５】
このような画像形成装置等の転倒を防止する技術として以下のものがある。特許文献１には、画像形成装置の専用台はキャスタを複数個下面に備え、同じく下面に複数の転倒防止部材とそれを固定保持する固定ブラケットを設け、転倒防止部材のストッパ部が固定ブラケットのストッパ部に入っており、また転倒防止部材の先端にゴム等の床面接地部を設け、専用台が傾いたときには転倒防止部材が床に対してふんばる一方、転倒防止部材を、専用台の下面に収納でき、専用台を床の段差やカーペットに引っ掛からずに移動させ得るものが記載されている。
【０００６】
特許文献２には、露光光学ユニット及び画像作成ユニット及び給紙ユニット等の複数のユニットからなる本体を設置平面に対して平行な方向に各ユニット毎に分割して形成し、このユニット毎に分割された本体の幅と奥行きの長さのうち短い方の一面を操作者のフロント側に配置させかつそのフロント前方に出し入れできるように形成したものが記載されている。
【特許文献１】特開２００３−２１８５４４号公報
【特許文献２】特開平０６−３１３９９９号公報
【発明の開示】
【発明が解決しようとする課題】
【０００７】
上述のように、複写機複合機等の画像形成装置は、使用者の様々な操作状況を考慮して製品設置時に画像形成装置の足元に転倒防止材を設置する。しかしながら、設置場所や移動作業性等によって使用者の要望で転倒防止部材を設置しない場合もある。この場合は製品設置後に不要品として転倒防止材は廃棄処分されることとなる。
【０００８】
また、転倒防止部材は別部材として製品梱包箱に同梱されており、製品設置時に製品の足元のキャスタ等を利用して製品の下に配置される。このため予め製品の外装カバーに転倒防止のための凸部が一体に形成されていると製品投影面積が大きくなり、製品梱包箱のコンパクト化が難しくなる。また、転倒防止部材配置後は転倒防止部材があると製品の移動もしづらいものとなっている。
【０００９】
さらに、使用済となった画像形成装置などの製品を回収するときは、確実に回収される製品本体に比べ回収が難しく再利用されにくいという問題がある。これは、転倒防止部材を取り外したのち製品本体とは別の他回収物と一緒に廃棄されていることがおおいからである。
【００１０】
本発明は、上述した従来の問題点に鑑みなされたものであり、必要に応じて転倒防止の突起を形成することができると共に、装置撤去時にも確実に回収することができる転倒防止外装カバー、それを備えた装置及び画像形成装置を提供することを目的とする。
【課題を解決するための手段】
【００１１】
請求項１の発明は、装置の下部を覆い製品の転倒を防止する転倒防止突起部を備えた外装カバー部材において、前記外装カバー部材を構成する一面、及び、この一面と表裏関係をなす他面のうち一方の面にだけ転倒防止突起部を突設したことを特徴とする。
【００１２】
請求項２の発明は、請求項１の装置の外装カバー部材において、外装カバー部材は前記装置に固定する固定手段を備えたことを特徴とする。
【００１３】
請求項３の発明は、請求項１または２の装置の外装カバー部材において、装置本体に対して、前記転倒防止突起部が装置の外側に張り出した状態と、転倒防止突起部を装置本体の内側に向け配置した状態とのいずれかの状態で取付可能としたことを特徴とする。
【００１４】
請求項４の発明は、請求項１ないし３のいずれかの記外装カバー部材の表裏両面は、
いずれの面を装置の表面としたとき前記装置本体の外観を構成する外観性を付与されたことを特徴とする。
【００１５】
請求項５の発明は、請求項１ないし４のいずれかの装置の外装カバー部材において、前記外装カバー部材は、ブロー成型を含む樹脂成形で形成されたことを特徴とする。
【００１６】
請求項６の発明は、請求項１ないし５のいずれかの外装カバー部材を備えた装置である。
【００１７】
請求項７の発明は、請求項１ないし５のいずれかの外装カバー部材を備えたことを特徴とする画像形成装置である。
【発明の効果】
【００１８】
本発明に係る転倒防止外装カバー部材、それを備えた装置及び画像形成装置によれば、必要に応じて転倒防止の突起を形成することができると共に、装置撤去時にも確実に回収することができる。
【発明を実施するための最良の形態】
【００１９】
以下本発明を実施するための最良の形態を、図に示す実施例を参照して説明する。
【実施例】
【００２０】
図１は本発明に係る画像形成装置において外装パネル部材で転倒防止突起部を突出させない例を示す図、図２は本発明に係る画像形成装置において外装パネル部材で転倒防止突起部を突出させる例を示す図、図３は図１及び２に使用する外装パネル部材を示す断面図である。
【００２１】
。
図１に示す例では、画像形成装置１０は、外装カバー部材５０の一面側に設けた転倒防止突起部５１を内側に向け配置すると共に、この転倒防止突起部５１が床面Ｇから離間し、キャスタ２０が床面Ｇに設置するようにしている。本例では外装カバー部材５０は締結部材であるボルト６０で画像形成装置本体に固着される。
【００２２】
このように、外装カバー部材５０の転倒防止突起部５１が突出しない状態は、画像形成装置１０の搬入や搬出の移送時や、ユーザが転倒防止突起部材を使用したくない場合に適用される。このような状態であれば、画像形成装置１０はキャスタ２０で自由に搬送できる上、平面投影面積が小さくなる。
【００２３】
この例では、外装カバー部材５０は、図２に示すようなに、一面を平面部５２として形成されると共に、他面には転倒防止突起部５１が突出するように合成樹脂でブロー成型されている。また、この画像形成装置１０は、前記画像形成装置１０の幅寸法とほぼ同一の長さ寸法を備える。さらに、外装カバー部材５０面にはボルト取付穴５３が形成されている。また、この外装カバー部材５０はいずれの面も画像形成装置の表面としたとき外観が画像形成装置の外装として違和感のない状態として仕上げられ、成型痕などが現れないように形成されている。
【００２４】
次に、外装カバー部材５０の転倒防止突起部５１が画像形成装置１０から突出するように取付た例を説明する。本例では、外装カバー部材５０を上記例とは反対方向二取付ることにより、転倒防止突起部５１が１０から突出するようにすると共に、転倒防止突起部５１が床面Ｇに設置し、容易に移動転倒しないようにされている。
【００２５】
このように、外装カバー部材５０の転倒防止突起部５１が突出した状態は、画像形成装置１０通常の設置状態で適用される。このような状態から、回収を行うときには、外装カバー部材５０を取り外して図１の状態として移送すれば、外装カバー部材５０の回収もれが無くなるとと共に、キャスタ２０を使用した移動が可能となる他、平面投影面積が小さくなる。
【００２６】
本例に係る画像形成装置によれば、転倒防止部材が製品と別部材にならないため製品設置時に廃棄されることもなく、製品使用時には常に転倒防止を図ることができる。また、製品回収時には製品と一緒に回収されるため、転倒防止部材の再使用が可能となる。さらに、画像形成装置から転倒防止部材を突出させずに製品梱包、製品回収が可能となる他、設置時に転倒防止が不要な場合でも外観を良好な状態に保つことができる。
【図面の簡単な説明】
【００２７】
【図１】本発明の実施例に係る画像形成装置を示す正面図である。
【図２】図１に示した画像形成装置の外装カバー部材を示す断面図である。
【図３】図１に示した画像形成装置において転倒防止部材を張り出した状態を示す画像形成装置の正面図である。
【図４】従来の画像形成装置における転倒防止部材を示す斜視図である。
【符号の説明】
【００２８】
１０・・・画像形成装置
２０・・・キャスタ
３０，４０・・・転倒防止部材
５０・・・外装カバー部材
５１・・・転倒防止突起部
５２・・・平面部
５３・・・ボルト取付穴
６０・・・ボルト
Ｇ・・・床面
【図１】
2006214450.tif 000003
【図２】
2006214450.tif 000004
【図３】
2006214450.tif 000005
【図４】
2006214450.tif 000006